(57)【要約】【課題】酸化第一鉄を含有し、植物の成長に有用な植物成長促進剤を提供する。【解決手段】本発明の植物成長促進剤は、主成分として、酸化第一鉄（ＮａＣｌ型の結晶構造を有し、主として鉄と酸素とからなる物質の総称であり、各々の元素の一部が他の元素により置換されていてもよい。通常、粉末状である。）と含キレート化物質とを含有する。この含キレート化物質は、鉄をキレート化する成分を含んでおり、腐葉土、牛糞、鶏糞、堆肥、牛糞及び鶏糞等を含む堆肥などである。【選択図】　　　図１
2004123677.tif 000002
【特許請求の範囲】
【請求項１】
主成分として、酸化第一鉄と含キレート化物質とを含有することを特徴とする植物成長促進剤。
【請求項２】
上記含キレート化物質は、腐葉土及び牛糞のうちの少なくとも一方である請求項１に記載の植物成長促進剤。
【請求項３】
主成分として、酸化第一鉄と腐葉土及び牛糞のうちの少なくとも一方とを含有することを特徴とする植物成長促進剤。
【発明の詳細な説明】
【０００１】
【発明の属する技術分野】
本発明は植物成長促進剤に関する。更に詳しくは、主成分として酸化第一鉄を含有し、植物に鉄分を効率よく吸収させることができる植物成長促進剤に関する。
本発明の植物成長促進剤は、各種の植物の生育において用いることができ、例えば、ほうれん草等の葉茎菜類における光合成を活発化させて葉緑素の形成を促進し、スイカ等の果菜類の糖度を高くすることができる。
【０００２】
【従来の技術】
鉄は、植物にとって微量要素ではあるけれども必須元素であり、通常、作物に１〜４００ｐｐｍ程度含有されており、微量要素とはいっても欠乏すると特有の欠乏症を生じる。例えば、鉄は葉緑素の形成に関与しており、欠乏すると葉が黄白化する。また、鉄は窒素の代謝作用にも関与しており、欠乏すると蛋白質の合成反応が損なわれる。この植物生育の必須元素である鉄を供給するために、鉄含有組成物として鉄粉や転炉滓、水酸化鉄などの使用が提案されている（例えば、特許文献１参照。）。
【０００３】
【特許文献１】
特開平８−２７７１８３号公報
【０００４】
【発明が解決しようとする課題】
従来の鉄含有組成物から溶け出した鉄の大部分は、植物に取り込まれる前に水酸化第ニ鉄として沈殿してしまい、植物への鉄の供給は十分なものではなかった。
本発明は、上記課題を解決するものであり、酸化第一鉄を含有し、鉄分を植物に効率よく吸収させることができる植物成長促進剤を提供することを目的とする。
【０００５】
【課題を解決するための手段】
本発明の植物成長促進剤は、主成分として、酸化第一鉄と含キレート化物質とを含有することを特徴とする。
また、上記含キレート化物質は、腐葉土及び牛糞のうちの少なくとも一方である植物成長促進剤とすることができる。
本発明の植物成長促進剤は、主成分として、酸化第一鉄と腐葉土及び牛糞のうちの少なくとも一方とを含有することを特徴とする。
【０００６】
【発明の効果】
本発明の植物成長促進剤によれば、鉄分を植物に効率よく吸収させることができ、葉緑素の形成及び蛋白質の合成等が促進され、スイカ等の果菜類では糖度も高くなる。
また、含キレート化物質が、腐葉土及び牛糞のうちの少なくとも１方である場合は、鉄分を植物により効率よく吸収させることができ、植物の成長が十分に促進される。
【０００７】
【発明の実施の形態】
以下、本発明を詳細に説明する。
上記「酸化第一鉄」は、ＮａＣｌ型の結晶構造を有し、主として鉄と酸素とからなる物質の総称である。この酸化第一鉄には、鉄原子の一部が遷移金属原子等で置換された物質、及び酸素原子の一部がハロゲン元素などの他の元素で置換された物質も含まれ、原子空孔を有する物質も含まれる。この酸化第一鉄は、通常、粉末状である。
【０００８】
本発明の植物成長促進剤には、必須成分以外にその他の無機成分及び金属等が含まれていてもよい。無機成分としては、三ニ酸化鉄、四三酸化鉄、酸化マンガン、酸化アルミニウム、酸化珪素、酸化マグネシウム、酸化チタン、フェライト、硫酸カルシウム、炭酸カルシウム、珪酸カルシウム、珪酸アルミニウム、三酸化アンチモン等が挙げられる。金属としては、鉄、マンガン、亜鉛、ニッケル、銅、カルシウム、アルミニウム、モリブデン、クロム等が挙げられる。また、これらのうちの２種以上の金属、又は他の金属を有する合金が含まれていてもよい。更に、カーボン、リン、硫黄等が含有されていてもよい。これらの無機成分、金属及び合金は、それぞれ１種のみが含まれていてもよく、２種以上が含有されていてもよく、無機成分、金属及び合金のうちの２種以上が併含されていてもよい。尚、無機成分、金属及び合金の各々の形状、大きさ等は特に限定されない。
【０００９】
上記「含キレート化物質」は、鉄をキレート化する成分を含む物質であればよく、特に限定されない。鉄をキレート化する成分としては、フルボ酸等が挙げられる。また、含キレート化物質としては、腐葉土、牛糞、鶏糞、堆肥、牛糞及び鶏糞等を含む堆肥などが挙げられる。含キレート化物質としては、これらのうちの１種のみを用いてもよいし、２種以上を併用してもよい。
【００１０】
植物成長促進剤は、使用時に、酸化第一鉄と含キレート化物質とを混合して使用することができる。更に、使用前に、酸化第一鉄と含キレート化物質とを予め混合して用いることもできる。使用前に予め混合して用いる場合は、混合後、温度５〜３５℃、特に１５〜３０℃、２４〜４８０時間、特に１６８〜２４０時間経過後、使用することが好ましい。
【００１１】
また、植物成長促進剤における酸化第一鉄と含キレート化物質との合計含有量は、植物成長促進剤を使用する培地の性状、生育させる作物の種類等に応じて適宜調整することができる。また、公知の植物生長促進成分として、鉄と同様に植物の微量要素であるマンガン、硼素、亜鉛、銅及びモリブデン、並びにこれらの元素の化合物が含まれていてもよい。更に、植物成長促進剤には、植物成長促進の作用、効果が大きく損なわれない範囲で、その他の物質が含有されていてもよい。
【００１２】
本発明の植物成長促進剤の使用量は特に限定されず、生育する植物の種類、肥料の種類及び施肥量、並びに土壌の種類により適宜調整することが好ましい。また、植物成長促進剤における酸化第一鉄と含キレート化物質の各々の含有量も適宜調整することが好ましい。
【００１３】
【実施例】
以下、本発明を実施例により具体的に説明する。
実施例１
酸化第一鉄と、腐葉土（上田林業株式会社製、商品名「くつきバーク」）とを、３：１の質量比で混合し、植物成長促進剤を製造した。以下、これを「土壌タイプ成長促進剤」という。
【００１４】
実施例２
酸化第一鉄と、乾燥牛糞とを、３：１の質量比で混合し、その後、この混合物８５質量％、水１０質量％、及びバインダとしてベントナイト５質量％を混合し、次いで、縦型押出成形機（ダルトン株式会社製、型式「Ｆ−６０」）により、径が８ｍｍ、長さが３０〜４０ｍｍのペレット形状の植物成長促進剤を製造した。以下、これを「ペレットタイプ成長促進剤」という。
実施例１の土壌タイプ成長促進剤、及び実施例２のペレットタイプ成長促進剤を、２５〜３５℃の温度で２４０時間静置した後、栽培実験に供した。
【００１５】
栽培実験１
実験場所として愛知県碧南市内の矢作川西岸の砂土質の畑地を選定した。面積約１０００ｍ２の畑地に１．２×３０ｍの栽培区画を定め、この区画の全面に土壌タイプ成長促進剤４５ｋｇを均等に散布し、混合後、１週間養生した。その後、ブレンド改良資材（清水工業株式会社製、商品名「まぜまぜくん」）２０ｋｇ入りを７袋、及び玉葱用の肥料（ＪＡあいち経済連合会製造、商品名「玉葱肥料Ｂ・Ｂ、ＬＰＳ．４８４特」）２０ｋｇ入りを５袋、それぞれ栽培区画の全面に均等に撒き、耕した。次いで、畝を造成し、栽培区画の全面を黒色の農業用マルチフィルムで覆った。その後、１１月に、短辺に１０個、長辺に２０ｃｍ間隔でマルチフィルムに穴を開け、玉葱の苗（品種「もみじ３号」）を植え付けた。収穫は５月に行った。
尚、対照区として、隣接する区画に、土壌タイプ成長促進剤を散布しなかった他は同様にして、玉葱の苗を植え付け、収穫した。
【００１６】
土壌タイプ成長促進剤を散布した栽培区画から収穫した玉葱（全数は約１５００個である。）と、対照区から収穫した玉葱（全数は約５０００個である。）の各々について、平均的な大きさの玉葱をそれぞれ５個選び、皮付新鮮重、皮取新鮮重、及び白皮取新鮮重を測定した。その結果、土壌タイプ成長促進剤を散布した栽培区画から収穫した玉葱では、５個の平均値で、皮付新鮮重が５６０．９ｇ、皮取新鮮重が５５４．２ｇ、白皮取新鮮重が５４１．７ｇであった。一方、対照区から収穫した玉葱では、皮付新鮮重が３０４．５ｇ、皮取新鮮重が３００．７ｇ、白皮取新鮮重が２９０．６ｇであった。このように土壌タイプ成長促進剤を散布した栽培区画から収穫した玉葱は、対照区から収穫した玉葱の１．８倍程度の質量があり、各々の質量の平均値を示す図１及び玉葱の外観を示す図２のように、土壌タイプ成長促進剤により十分に成長促進がなされていることが分かる。
【００１７】
また、質量測定に供した玉葱の各々について、５５０℃で灰化後、ＩＣＰ分析により含有される鉄分を定量したところ、土壌タイプ成長促進剤を散布した栽培区画から収穫した玉葱では、５個の平均で０．５５７７ｍｇ／１００ｇであり、対照区から収穫した玉葱では、５個の平均で０．２００４ｍｇ／１００ｇであった。このように鉄分の含有量も、図３にも示すように、約１．９倍と多いことが分かる。
【００１８】
栽培実験２
栽培実験１と同じ場所の畑地（砂土質）に２０×２０ｍの区域を選定し、東から３つの区画に分け、東側の区画に土壌タイプ成長促進剤を１５ｋｇ（約１１３ｇ／ｍ２相当）散布し、この区画を栽培区画とした。また、西側の区画には土壌タイプ成長促進剤を散布せず、この区画を対照区とした。一方、品種「黒スイカ」（北海道産）の種をポットに入れて発芽させたものを予め準備し、これを４月に各区画に５本づつ「さし芽」した。そして、８月中旬に、栽培区画及び対照区から各々５０個のスイカを収穫した。その後、それぞれのスイカ５０個のうちから平均的な大きさのものを各々１個選び出し、その糖度をハンディ糖度計（株式会社島津製作所製、型式「ＡＭＹ−１」）により測定した。その結果、対照区から収穫したスイカでは、外皮近傍の糖度が１１．９、中心部の糖度が１４．２であった。一方、栽培区画から収穫したスイカでは、外皮近傍の糖度が１７．１、中心部の糖度が１６．７であった。このように、栽培区画から収穫したスイカは対照区から収穫したスイカと比べて、糖度が外皮近傍で約１．４４倍、中心部で約１．１８倍に向上していた。
【００１９】
栽培実験３
栽培実験１と同じ場所の畑地（砂土質）に０．７×３０ｍの区域を選定し、南から１０ｍ毎に３つの区画に分け、南側の区画に土壌タイプ成長促進剤を、また、真中の区画にペレットタイプ成長促進剤を、それぞれ２．１ｋｇ（約３００ｇ／ｍ２相当）散布し、これらの区画を栽培区画とした。残りの北側の区画には植物生長促進剤を散布せず、この区画を対照区とした。次いで、土壌と各々の植物生長促進剤とを混合し、１週間養生した後、それぞれの区画において畝を造成し小松菜の種を蒔き、１ヶ月後、収穫した。その後、各区画から収穫した小松菜のうちからほぼ同じ大きさのものをサンプルとしてそれぞれ５本づつ選出し、葉緑素計（ミノルタ株式会社製、型式「ＳＰＡＤ−５０２」）により、葉緑素量を緑色濃度（ＳＰＡＤ値）によって評価した。その結果、土壌タイプ成長促進剤を用いた場合は３６．９、ペレットタイプ成長促進剤を用いた場合は３４．０であったのに対し、対照区では３２．９であった。このように本発明の植物生長促進剤を使用した区画の小松菜では葉緑素量の増大がみられた。
【図面の簡単な説明】
【図１】土壌タイプ成長促進剤を用いた栽培区画から収穫した玉葱と、対照区から収穫した玉葱の質量を比較して示すグラフである。
【図２】土壌タイプ成長促進剤を用いた栽培区画から収穫した玉葱と、対照区から収穫した玉葱の大きさを比較して示す写真による説明図である。
【図３】土壌タイプ成長促進剤を用いた栽培区画から収穫した玉葱と、対照区から収穫した玉葱に含まれる鉄分の質量を比較して示すグラフである。
【図１】
2004123677.tif 000003
【図２】
2004123677.tif 000004
【図３】
2004123677.tif 000005